(57)【要約】      （修正有）【課題】慣性モーメントの増大を図り得ると共に、安価で、かつ、低重心化を図り得るクラブヘッドを提供する。【解決手段】クラブシャフト１の先端に固定された木製のヘッド本体２０と、ヘッド本体２０の底部に配置された金属製のソール３０と、ソール３０に固定されソール３０を形成する金属よりも比重の大きい錘部５０とを備えたクラブヘッドに関する。ソール３０には概ね上下方向に貫通する貫通孔３３を設け、ソール３０の下面に係合する頭部を持つボルト５２が貫通孔３３に挿入されて頭部により貫通孔３３を閉塞すると共に、ボルト５２のオネジ部５３がソール３０の内側に突出し、ボルト５２のオネジ部５３に螺合するメネジ部５４を持つナット５５を設け、ボルト５２およびナット５３の双方が錘部５０を形成している。【選択図】図７
2006223331.tif 000002
【特許請求の範囲】
【請求項１】
クラブシャフトの先端に固定された木製のヘッド本体と、前記ヘッド本体の底部に配置された金属製のソールと、前記ソールに固定され前記ソールを形成する金属よりも比重の大きい錘部とを備えたクラブヘッドであって、
前記ソールには概ね上下方向に貫通する貫通孔が設けられ、
前記ソールの下面に係合する頭部を持つボルトが前記貫通孔に挿入されて前記頭部により前記貫通孔を閉塞すると共に、前記ボルトのオネジ部が前記ソールの内側に突出し、
前記ボルトのオネジ部に螺合するメネジ部を持つナットが設けられ、
前記ボルトおよびナットの双方が前記錘部を形成しているクラブヘッド。
【請求項２】
請求項１において、前記ヘッド本体の底部に前記ソールを締結する複数の締結部材が設けられ、前記複数の締結部材のうち１つの締結部材の重心位置よりも前記錘部の重心位置の方が前記ソールの外周縁に近い位置に配置されているクラブヘッド。
【請求項３】
請求項１において、前記ナットが正六角形以上の多角柱ないし略円柱形の外表面を持ち、
前記ナットが収容される収容空間が前記ヘッド本体に形成され、
前記ヘッド本体の収容空間に接着剤が埋め込まれているクラブヘッド。
【請求項４】
請求項１において、前記オネジ部およびメネジ部の呼び径が３mm以上２０mm以下で、かつ、前記ナットの外径が１０mm以上３０mm以下であるクラブヘッド。
【請求項５】
請求項１において、前記ボルトの頭部には工具を係合可能な被係合部が設けられていないクラブヘッド。
【請求項６】
請求項４において、前記ボルトの頭部とは反対側の先端面に工具を係合可能な被係合部が設けられているクラブヘッド。
【請求項７】
請求項１において、前記ボルトおよびナットが複数組設けられているクラブヘッド。
【請求項８】
請求項１もくしは７において、前記ヘッド本体を平面に投影した図形の中心のヒール側よりもトウ側の方の重量が増大するように前記ボルトおよびナットが設けられたクラブヘッド。
【請求項９】
請求項１ないし８のいずれか１項において、前記クラブヘッドの重量が３００ｇ〜５００ｇに設定され前記錘部がソールの外周部の少なくとも一部に配置されて、前記クラブヘッドの重心を通る鉛直線のまわりの慣性モーメントＩG が４，５００gcm2以上に設定されたクラブヘッド。
【請求項１０】
請求項１ないし８のいずれか１項において、前記クラブヘッドの重量が３００ｇ〜５００ｇに設定され前記錘部がソールの外周部のトウ側の少なくとも一部に配置されて、前記クラブシャフトの軸線のまわりの慣性モーメントＩS が４，８００gcm2以上に設定されたクラブヘッド。
【請求項１１】
請求項１ないし８のいずれか１項において、前記クラブヘッドの重量が３００ｇ〜５００ｇに設定され前記錘部がソールの外周部の少なくとも一部に配置されて、前記クラブヘッドの重心を通る鉛直線のまわりの慣性モーメントＩG が４，５００gcm2以上に設定され、かつ、前記クラブシャフトの軸線のまわりの慣性モーメントＩS が４，８００gcm2以上に設定されたクラブヘッド。
【請求項１２】
クラブシャフトの先端に固定された木製のヘッド本体と、前記ヘッド本体の底部に配置された金属製のソールと、前記ソールに設けられた錘部とを備え、前記クラブヘッドの重量が３００ｇ〜５００ｇに設定されたパークゴルフ用のクラブヘッドであって、前記錘部がソールの外周部の少なくとも一部に配置されて、前記クラブヘッドの重心を通る鉛直線のまわりの慣性モーメントＩG が４，５００gcm2以上に設定されたクラブヘッド。
【請求項１３】
クラブシャフトの先端に固定された木製のヘッド本体と、前記ヘッド本体の底部に配置された金属製のソールと、前記ソールに設けられた錘部とを備え、前記クラブヘッドの重量が３００ｇ〜５００ｇに設定されたパークゴルフ用のクラブヘッドであって、前記錘部がソールの外周部のトウ側の少なくとも一部に配置されて、前記クラブシャフトの軸線のまわりの慣性モーメントＩS が４，８００gcm2以上に設定されたクラブヘッド。
【請求項１４】
クラブシャフトの先端に固定された木製のヘッド本体と、前記ヘッド本体の底部に配置された金属製のソールと、前記ソールに設けられた錘部とを備え、前記クラブヘッドの重量が３００ｇ〜５００ｇに設定されたパークゴルフ用のクラブヘッドであって、前記錘部がソールの外周部の少なくとも一部に配置されて、前記クラブヘッドの重心を通る鉛直線のまわりの慣性モーメントＩG が４，５００gcm2以上に設定され、かつ、前記クラブシャフトの軸線のまわりの慣性モーメントＩS が４，８００gcm2以上に設定されたクラブヘッド。
【請求項１５】
請求項１２ないし１４のいずれか１項において、前記ソールを構成する金属の比重よりも、前記錘部を構成する金属の比重の方が大きいクラブヘッド。
【請求項１６】
請求項１２ないし１５のいずれか１項において、前記錘部が前記ソールにネジ込まれて固定されているクラブヘッド。
【請求項１７】
クラブシャフトの先端に固定された木製のヘッド本体と、前記ヘッド本体の底部に配置された金属製のソールと、前記ソールに固定され前記ソールを形成する金属よりも比重の大きい錘部とを備えたクラブヘッドであって、
前記ヘッド本体の底部に前記ソールを締結する複数の締結部材が設けられ、前記複数の締結部材のうち１つの締結部材の重心位置よりも前記錘部の重心位置の方が前記ソールの外周縁に近い位置に配置されているクラブヘッド。
【請求項１８】
クラブシャフトの先端に固定された木製のヘッド本体と、前記ヘッド本体の底部に配置された金属製のソールと、前記ソールに固定され前記ソールを形成する金属よりも比重の大きい錘部とを備えたクラブヘッドであって、
前記ソールには、前記錘部を固定するための第１のネジ部を持ち、前記のソールの上方に向って突出する固定部が一体に形成され、
前記錘部は、前記第１のネジ部に螺合する第２のネジ部を有し、
前記ソールの底面から上方に向って突出した前記固定部および／または錘部が、前記ヘッド本体に形成された収容空間に収容され、
前記固定部および／または錘部とヘッド本体との間に接着剤が充填されたクラブヘッド。
【請求項１９】
請求項１８において、前記錘部を前記ソールに取り付ける際に前記錘部に回転力を付加するためのトルク付加部が錘部における前記ソールの内側に設けられ、これにより、前記錘部がソールの外側から取り外しできないように設けられているクラブヘッド。
【請求項２０】
請求項１８において、前記第１のネジ部は、前記ソールの内側に向って突出する固定部における前記ソールの内側に設けられていると共に、当該ソールが前記第１のネジ部において開口しておらず、前記錘部が前記ソールの内側からのみ螺合可能となっているクラブヘッド。
【請求項２１】
請求項１８において、前記第１ネジ部は前記ソールの外側に臨む孔部に設けられ、前記錘部が前記ソールの外側から螺合されているクラブヘッド。
【請求項２２】
請求項１７ないし２１のいずれか１項において、前記クラブヘッドの重量が３００ｇ〜５００ｇに設定されたパークゴルフ用のクラブヘッドであって、前記錘部がソールの外周部の少なくとも一部に配置されて、前記クラブヘッドの重心を通る鉛直線のまわりの慣性モーメントＩG が４，５００gcm2以上に設定されたクラブヘッド。
【請求項２３】
請求項１７ないし２１のいずれか１項において、前記クラブヘッドの重量が３００ｇ〜５００ｇに設定されたパークゴルフ用のクラブヘッドであって、前記錘部がソールの外周部のトウ側の少なくとも一部に配置されて、前記クラブシャフトの軸線のまわりの慣性モーメントＩS が４，８００gcm2以上に設定されたクラブヘッド。
【請求項２４】
請求項１７ないし２１のいずれか１項において、前記クラブヘッドの重量が３００ｇ〜５００ｇに設定されたパークゴルフ用のクラブヘッドであって、前記錘部がソールの外周部の少なくとも一部に配置されて、前記クラブヘッドの重心を通る鉛直線のまわりの慣性モーメントＩG が４，５００gcm2以上に設定され、かつ、前記クラブシャフトの軸線のまわりの慣性モーメントＩS が４，８００gcm2以上に設定されたクラブヘッド。
【請求項２５】
請求項１ないし２４のいずれか１項において、前記錘部がトウ側に片寄って配置されていることにより、前記クラブシャフトの軸線のまわりの慣性モーメントＩS が、重心を通る鉛直線まわりの慣性モーメントＩG の１．１倍以上に設定されているクラブヘッド。
【発明の詳細な説明】
【技術分野】
【０００１】
本発明はパークゴルフやグラウンド・ゴルフ（以下、パークゴルフ等という）などのクラブヘッドに関するものである。
【背景技術】
【０００２】
従来より、ゴルフなどのクラブヘッドでは、慣性モーメントの増大を図るために、錘を設けたものが知られている（特許文献１）。
【特許文献１】特開２００４−６５８１０号（図６）
【０００３】
しかし、この先行技術では、ヘッドの内部にソールおよびプレートを介して錘を設けるので、コストアップを招くだけでなく、前記ソールの厚さやプレートの厚さに相当する分だけ錘の位置が上方の位置となるので、クラブヘッドの低重心化が図れない。
【０００４】
一方、パークゴルフやグラウンド・ゴルフでは、ボールの直径に比べ、フェースの高さが高い、２打目以降ティーを用いない、などの理由から低重心化を図って、ボールを重心付近で捕らえることが重要である。
【０００５】
したがって、本発明の目的は、慣性モーメントの増大を図り得ると共に、安価で、かつ、低重心化を図り得るクラブヘッドを提供することである。
【発明の開示】
【０００６】
前記目的を達成するために、本発明は、クラブシャフトの先端に固定された木製のヘッド本体と、前記ヘッド本体の底部に配置された金属製のソールと、前記ソールに固定され前記ソールを形成する金属よりも比重の大きい錘部とを備えたクラブヘッドであって、前記ソールには概ね上下方向に貫通する貫通孔が設けられ、前記ソールの下面に係合する頭部を持つボルトが前記貫通孔に挿入されて前記頭部により前記貫通孔を閉塞すると共に、前記ボルトのオネジ部が前記ソールの内側に突出し、前記ボルトのオネジ部に螺合するメネジ部を持つナットが設けられ、前記ボルトおよびナットの双方が前記錘部を形成している。
【０００７】
本発明によれば、比重の大きい錘部がソールを上下に貫通しているから、ソールの最下部まで錘部が配置されるので、慣性モーメントの増大と共に低重心化を図り得る。
【０００８】
また、錘部を構成するボルトにナットが螺合しているので、錘部の構造が簡易であるから、コストダウンを図り得る。
【０００９】
しかも、錘部がソールに固定されているから、錘部が木製のヘッド本体等にねじ込まれていないので、木製のヘッド本体の耐久性が劣化するおそれもない。
【００１０】
本発明において、前記ヘッド本体の底部に前記ソールを締結する複数の締結部材が設けられる場合には、前記複数の締結部材のうち１つの締結部材の重心位置よりも前記錘部の重心位置の方が前記ソールの外周縁に近い位置に配置されているのが好ましい。
締結部材によって慣性モーメントの増大や低重心化を図ることも可能であるが、締結部材の本来の機能上、錘部の方が重量を自在に付加し易い。したがって、締結部材をソールの外周縁に近い位置に配置するよりも、錘部をソールの外周縁に近い位置に配置する方が、慣性モーメントが大きくなる。
【００１１】
本発明の好ましい実施例では、前記ナットが正六角形以上の多角柱ないし略円柱形の外表面を持ち、前記ナットが収容される収容空間が前記ヘッド本体に形成され、前記ヘッド本体の収容空間に接着剤が埋め込まれている。
この実施例では錘部が多角柱ないし略円柱の外表面を持つので、木製のヘッド本体に円形の孔を穿設することで、ヘッド本体と錘部との間の隙間を小さくすることが可能である。しかも、ヘッド本体と錘部との間に接着剤を充填することにより、木製のヘッドに割れや欠けが生じるのを防止し得る。
【００１２】
本発明において、錘部としての機能を十分に発揮するには、前記オネジ部およびメネジ部の呼び径が３mm以上２０mm以下で、かつ、前記ナットの外径が１０mm以上３０mm以下であることが必要である。
【００１３】
本発明の好ましい実施例では、ボルトの頭部には工具を係合可能な被係合部を設けていない。これにより、使用者（ユーザ）が自分自身で錘となるボルトを取り換えるのを禁止できる。したがって、競技規則違反の改造などの不正行為を未然に防止し得る。
【００１４】
本発明の更に好ましい実施例では、ボルトの頭部とは反対側の先端面に工具を係合可能な被係合部が形成されている。
錘部のナットを回転させようとすると、スパナなどの大型の工具が必要で扱いにくいのに対し、ボルト頭部はナットよりも小さいので小さな工具で回転させることができるから、ボルト・ナットの締結の作業性が向上する。
【００１５】
本発明の別の好ましい実施例では、前記ヘッド本体を平面に投影した図形の中心のヒール側よりもトウ側の方の重量が増大するように前記ボルトおよびナットが設けられている。
トウ側の重量を増大させることにより、重心まわりの慣性モーメントＩG が増大するだけでなく、シャフトまわりの慣性モーメントＩS が大幅に増大する。
【００１６】
本発明の好ましい実施例では、前記クラブヘッドの重量が３００ｇ〜５００ｇに設定され、前記錘部がソールの外周部の少なくとも一部に配置されて、前記クラブヘッドの重心を通る鉛直線のまわりの慣性モーメントＩG が４，５００gcm2以上に設定されている。
重心まわりの慣性モーメントＩG が大きいと、スイートエリアが増大する。
前記クラブヘッドの重心を通る鉛直線のまわりの慣性モーメントＩG が４，５００gcm2未満であると、ボールの重量が重く、接触時間が短いため、スイートエリアが増大する効果が少ない。
【００１７】
本発明の別の好ましい実施例では、前記クラブヘッドの重量が３００ｇ〜５００ｇに設定され前記錘部がソールの外周部のトウ側の少なくとも一部に配置されて、前記クラブシャフトの軸線のまわりの慣性モーメントＩS が４，８００gcm2以上に設定されている。
シャフトまわりの慣性モーメントＩS が大きいと、打撃時のボールに当たる瞬間のヘッドの回転速度が増大する。
前記クラブシャフトの軸線のまわりの慣性モーメントＩS が４，８００gcm2未満でも、ヘッドの回転速度は、増大するが、打撃時の力が重心が動く方向と逆方向に働き、ヘッドの回転速度の増大が、ボールの初速に及ぼす影響が小さくなる。
【００１８】
クラブヘッドの重量は、３３０ｇ〜４５０ｇが更に好ましく、３５０ｇ〜４３０ｇが最も好ましい。
また、重心まわりの慣性モーメントＩG は、４，６００gcm2以上が更に好ましく、４，７００gcm2以上が最も好ましい。
一方、シャフトまわりの慣性モーメントＩS は、５，０００gcm2以上が更に好ましく、５，４００gcm2以上が最も好ましい。
【００１９】
更に、前記シャフトまわりの慣性モーメントＩS を重心まわりの慣性モーメントＩG で除算した慣性モーメント比ＩS ／ＩG は、１．１倍以上が好ましく、１．２倍以上が更に好ましい。
このように、大きな慣性モーメント比を得るには、錘部をトウに近い位置に配置することにより実現される。
【実施例】
【００２０】
以下、本発明の一実施例を図面にしたがって説明する。
図１に示すように、パークゴルフ用のクラブシャフト１の先端にはクラブヘッド２が固定されている。
【００２１】
図２は前記クラブヘッド２の分解斜視図である。
図２に示すように、前記クラブヘッド２は、クラブシャフト１の先端に固定される木製のヘッド本体２０、該ヘッド本体２０の底部Ｂに固定される金属製のソール３０および前記ヘッド本体２０の前面２０ｆに固定されるフェース４０を備えている。プレイヤーは、図１のクラブを振って、クラブヘッド２を前後方向Ｘに振り抜き、フェース４０の前面４０ｆでボールを打撃する。
【００２２】
まず、ヘッド本体２０とソール３０との関係について説明する。
図３に示す前記ソール３０は、たとえば１０ｍｍ以上の深さを持つ椀状に形成されており、前記ヘッド本体２０の底部Ｂの概ね全面を覆っている。前記ソール３０の上面には、上方に向って突出する複数のボス３１が一体形成されている。前記各ボス３１は、クラブヘッド２の重心Ｇ（図８）から離れた位置に設けられている。なお、前記各ボス３１はソール３０の周囲の側面に一体に設けられていてもよい。
【００２３】
図５および図６はクラブヘッド２を底面側から見た分解斜視図である。図５に示すように、前記ヘッド本体２０の底部Ｂには、前記各ボス３１（図２）に対応する位置に係合孔２１が、それぞれ形成されている。
【００２４】
図７（ａ）は前記ボス３１付近の縦断面図である。
図７（ａ）に示すように、前記係合孔２１にボス３１が挿入されており、前記係合孔２１とボス３１との間には、接着剤３５が充填されている。したがって、係合孔２１の内側面２１ｆとボス３１の外側面３１ｆとは、接着剤３５を介してヘッド２を振り抜く前後方向Ｘに、互いに隙間なくしっかりと係合している。
【００２５】
図３に示すように、前記各ボス３１には、メネジ３２が形成されている。前記メネジ３２は、前方に向って開口していると共に、前後方向Ｘにボス３１を貫通している。一方、前記ヘッド本体２０の前面２０ｆには、図７（ａ）の前記メネジ３２に螺合する締結ボルト２４（オネジ部材）を挿入するネジ挿入孔２２が穿孔されている。前記ネジ挿入孔２２から金属製の前記締結ボルト２４が前記メネジ３２にねじ込まれることにより、ヘッド本体２０の底部にソール３０が締結されている。
【００２６】
なお、ネジ挿入孔２２は、ヘッド本体２０の前面２０ｆにおいて開口しているが、クラブヘッド２の後方についてはソール３０やヘッド本体２０で覆われている。
【００２７】
ここで、ネジ挿入孔２２は、ヘッド本体２０の前面２０ｆから後方に向って穿設されており、また、前記締結ボルト２４は、ヘッド本体２０の前面２０ｆから後方のメネジ３２との間で、ヘッド本体２０をソール３０に締結している。したがって、木製のヘッド本体２０に締結ボルト２４を挿入するネジ挿入孔２２を上下方向に形成する必要がない上、打撃時にソール３０とヘッド本体２０との間に働く力の方向に、締結ボルト２４の軸力が働く方向と一致しているので、ヘッド本体２０の耐久性が向上する。
【００２８】
また、図６（ｂ）の前記フェース４０で覆われるヘッド本体２０の前面２０ｆは平坦に加工されているから、前記ネジ挿入孔２２をヘッド本体２０に穿設する作業は、ヘッド本体２０の上方、下方または後方から孔を明けるのに比べ、著しく容易、かつ、確実になる。
【００２９】
かかる観点から、フェース４０の前面４０ｆに直交する軸線Ｌに対し、前記ネジ挿入孔２２や締結ボルト２４の軸線が３０°程度まで（好ましくは１５°程度まで）傾いていてもよい。すなわち、ネジ挿入孔２２は若干斜め後方に向って穿設されていてもよく、この場合、図３のネジ挿入孔２２は斜め前方に向って開口する。
【００３０】
図２において、前記各締結ボルト２４は、フェース４０の中心Ｆｏを通る水平線Ｌｈよりも下方に配置されている。そのため、重い各締結ボルト２４によりクラブヘッド２の低重心化を図ることができる。なお、フェース４０の中心Ｆｏとはフェース４０の外形線により形成される図形の中心（図心）をいう。
【００３１】
かかる観点から、全ての締結ボルト２４を前記水平線Ｌｈよりも下方に配置するのが最も好ましい。しかし、かかる低重心化は、前記フェース４０の上下の中心Ｆｏよりも下方に配置された前記締結ボルト２４の重量が、前記フェース４０の上下の中心Ｆｏないし中心Ｆｏよりも上方に配置された前記締結ボルトの重量よりも重ければ、ある程度図られる。
【００３２】
図８において、点Ｇはクラブヘッド２の実際の重心であり、点Ｏはクラブヘッド２を平面に投影した図形の中心（図心）である。図７（ｂ）の前記クラブヘッド２の重心Ｇを通る鉛直線Ｖのまわりの慣性モーメントＩG を大きくすることで、いわゆるスイートエリアの増大が図られる。
【００３３】
一方、図１の前記クラブシャフト１の軸線Ｓのまわりの慣性モーメントＩS を大きくすることで、打撃時のボールに対するヘッドの速度が増大する。すなわち、打撃時に図１のシャフト１の軸線Ｓの回りにクラブヘッド２が回転するのであるが、トウ側Ｔへの重心移動により、前記慣性モーメントＩS が大きくなって、打撃時のボールに対するヘッドの速度が増大する。
【００３４】
なお、クラブシャフト１の先端部１１は、図２のヘッド本体２０のシャフト挿入孔２９に固く嵌合されている。
【００３５】
本実施例において、図７（ａ）の前記オネジ部材２４におけるオネジ２４ｓが形成されていない頭部２４ｈは、前記挿入孔２２に収容されて前記フェース４０の裏面４０ｂの近傍まで設けられている。これにより、重い頭部２４ｈの重量がヘッド２の外周近傍に配置されるから、前記慣性モーメントＩG の増大を図り得ると共に、前記挿入孔２２に充填する接着剤２５が少なくなる。
【００３６】
なお、頭部２４ｈとフェース４０の裏面４０ｂとの間の隙間には、接着剤２５が設けられている。
【００３７】
本実施例においては、図８の前記クラブヘッド２の図形中心Ｏのヒール側Ｈに設けられたボス３１の数よりもトウ側Ｔに設けられたボス３１の数の方が多く、また、前記図形中心Ｏのヒール側Ｈに設けられた締結ボルト２４1 ，２４2 の総重量よりもトウ側Ｔに設けられた締結ボルト２４3 の総重量の方が重い。このように、前記ボス３１や締結ボルト２４をトウ側Ｔに片寄って配置することにより、ヘッドの重心Ｇをトウ側Ｔに移動させることができる。
【００３８】
つぎに、前記慣性モーメントＩG ，ＩS を更に大きくする構造の一例について説明する。
たとえば、図８の前記ソール３０を構成する金属の比重よりも前記締結ボルト２４を構成する金属の比重を大きく設定したり、前記ボス３１の設けられた位置よりも前記ソール３０の外周縁３０ｅのトウ側Ｔに近い位置に、前記ソール３０よりも比重の大きい金属からなる錘部５０を配置することで、前記慣性モーメントＩG ，ＩS の増大が図られる。特にソール３０の湾曲した外周縁３０ｅの近傍におけるトウ側Ｔに１以上の錘部５０を配置することで、前記慣性モーメントＩG ，ＩS の増大が図られ、更に、前記湾曲した外周縁３０ｅの近傍におけるトウ側Ｔに複数の錘部５０を配置することで、前記慣性モーメントＩG ，ＩS が著しく増大する。
【００３９】
前記ソール３０を構成する金属としては、アルミ合金（たとえば、アルミ鋳物）を用いることができ、一方、前記締結ボルト２４および錘部５０を構成する金属としては、黄銅（銅と亜鉛の合金で、いわゆる真鍮）を用いることができる。なお、前記ソール３０や締結ボルト２４としては、他の金属（たとえば、タングステン、チタン合金、マグネシウム合金、銅合金、ステンレス、スチールなど）を用いてもよい。
【００４０】
つぎに、本発明の要部である前記錘部５０の構造の一例について説明する。
図８において、前記錘部５０は前記ソール３０の外周縁３０ｅと前記ボス３１との間に挟まれるような位置に配置されている。
図３の前記ソール３０には概ね上下方向に貫通する複数の貫通孔３３が設けられている。図７（ｂ）のように、貫通孔３３には、前記ソール３０の下面に係合する頭部５１を持つ錘ボルト５２が前記貫通孔３３に挿入されて前記貫通孔３３が閉塞されている。前記錘ボルト５２のオネジ部５３は前記ソール３０の内側の空間に突出している。
前記錘ボルト５２のオネジ部５３には、メネジ部５４を持つ錘ナット５５が螺合している。前記錘ボルト５２および錘ナット５５は前記錘部５０を形成している。
なお、各ボルトナット５２，５５などの間は、ネジの緩みを防止する周知の接着剤（ロックタイト（登録商標））により接合されている。
【００４１】
図４（ｂ）の前記錘ナット５５は、正六角形以上の多角柱ないし略円柱形の外表面を持っているのが好ましい。図６（ａ）に示すように、前記錘ナット５５が収容される収容空間Ｓが前記ヘッド本体２０に形成されている。図７（ｂ）の前記ヘッド本体２０の収容空間Ｓには、接着剤５６が埋め込まれている。これにより、木製のヘッド本体２０の強度低下を防止し得る。
【００４２】
図６（ｂ）の前記錘ボルト５２の頭部５１には工具を係合可能な被係合部が設けられていない一方で、前記頭部５１とは反対側の図４（ａ）の先端面には工具を係合可能な被係合部（たとえば溝）５７が設けられている。前記被係合部５７を工具で回転させることにより、錘ボルト５２およびナット５５の締結の信頼性が向上する。
なお、前記錘ボルト５２およびナット５５は、複数組設けられている。また、図６（ｂ）のように前記錘ボルト５２の頭部５１には美観を良くするため、窪みやプリント等の意匠を設けてもよい。
【００４３】
図９（ａ）〜（ｄ）は錘部５０の変形例を示す。
これらの図に示すように、前記ソール３０には、前記錘部５０を固定するための第１のネジ部３７を持ち、前記のソール３０の上方に向って突出する固定部３８が一体に形成されている。前記錘部５０は、前記第１のネジ部３７に螺合する第２のネジ部５８を有する。
なお、前記固定部３８および／または錘部５０とヘッド本体２０（図７（ｂ））との間に接着剤が充填されている。
【００４４】
図９（ａ），（ｂ），（ｄ）の実施例では前記錘部５０を前記ソール３０に取り付ける際に前記錘部５０に回転力を付加するためのトルク付加部５７，５７Ａが錘部５０における前記ソール３０の内側の空間に設けられている。これにより、前記錘部５０はソール３０の外側から取り外しできない。なお、図９（ａ），（ｂ）のトルク付加部５７は溝で形成されており、一方、図９（ｄ）のトルク付加部５７Ａは、ローレット加工やスパナが係合する加工であってもよい。
【００４５】
図９（ａ）に示すように、前記トルク付加部５７は、前記ソール３０の内側に向って露出する錘部５０における前記ソール３０の内側の空間に設けられていると共に、当該ソール３０が前記第１のネジ部３７において開口しておらず、前記錘部５０が前記ソール３０の内側からのみ螺合可能となっている。これにより、ユーザによる錘部５０の交換を防止し得ると共に水等の浸入を防止し得る。
【００４６】
図９（ｃ）において、前記第１ネジ部３７は前記ソール３０の外側に臨む孔部に設けられ、前記錘部５０が前記ソール３０の外側から螺合されている。
【００４７】
以上のとおり、図面を参照しながら好適な実施例を説明したが、当業者であれば、本明細書を見て、自明な範囲で種々の変更および修正を容易に想定するであろう。
たとえば、締結部材の軸線を上下方向に設定してもよく、ソールの下面からオネジなどで止めてもよい。
また、締結部材を設ける必要はない。
また、ソールと一体にソールと同種の金属で錘部を設けて慣性モーメントの増大を図ってもよい。
さらに、被係合部としては十字状の溝などを形成してもよい。
したがって、そのような変更および修正は、請求の範囲から定まる本発明の範囲のものと解釈される。
【産業上の利用可能性】
【００４８】
本発明はパークゴルフの他に、グラウンド・ゴルフやゴルフ系スポーツに適用することができる。なお、パークゴルフにおいては、シャフトの最小直径が１４mm以上（好ましくは１６mm以上）に設定され、一方、グラウンド・ゴルフではクラブシャフトが木製である。したがって、これらのパークゴルフ等のクラブシャフトは、通常のゴルフクラブシャフトに比べ曲げ剛性が大きいので、打撃時に差程撓まない。
【図面の簡単な説明】
【００４９】
【図１】本発明の一実施例にかかるクラブヘッドを有するパークゴルフ用のクラブの正面図および側面図である。
【図２】同クラブヘッドの分解斜視図である。
【図３】ヘッド本体およびソールを示す分解斜視図である。
【図４】ヘッド本体に錘部が取り付けられる状態を示す斜視図である。
【図５】ソールおよびヘッド本体を底面から見た斜視図である。
【図６】（ａ）はオネジ部材および錘部の配置を示すヘッド本体の斜視図、（ｂ）は底面側から見たクラブヘッドの分解斜視図である。
【図７】（ａ）はソールとヘッド本体の締結構造を示す縦断面図、（ｂ）はソールに対する錘部の取付状態を示す縦断面図である。
【図８】オネジ部材、ボスおよび錘部の配置を示すソールの平面図である。
【図９】錘部の変形例を示す断面図である。
【符号の説明】
【００５０】
１：クラブシャフト
２：クラブヘッド
２０：ヘッド本体
２４：締結ボルト（締結部材）
３０：ソール
４０：フェース
５０：錘部
５２：錘ボルト
５３：オネジ部
５４：メネジ部
５５：錘ナット
５７：被係合部
Ｈ：ヒール側
Ｔ：トウ側
ＩS ：慣性モーメント
ＩG ：慣性モーメント
Ｇ：重心
Ｖ：鉛直線
【図１】
2006223331.tif 000003
【図２】
2006223331.tif 000004
【図３】
2006223331.tif 000005
【図４】
2006223331.tif 000006
【図５】
2006223331.tif 000007
【図６】
2006223331.tif 000008
【図７】
2006223331.tif 000009
【図８】
2006223331.tif 000010
【図９】
2006223331.tif 000011